(57)【要約】【課題】挿入紙の設定を、実際の挿入動作のイメージに近い直感的な操作で実現できるようにする。【解決手段】操作端末１００は、第１の印刷用紙を示す第１のオブジェクトと第２の印刷用紙を示す第２のオブジェクトとを表示させ、第１のオブジェクトと第２のオブジェクトとが表示された操作画面に対するユーザによるタッチ操作に基づいて第１の印刷用紙と第２の印刷用紙との間に挿入紙を挿入する指示を受け付け、受け付けた指示に基づいて該挿入紙のための用紙に関する設定を行うための設定画面を表示させる。【選択図】図９
2019071069.tif 000002
【特許請求の範囲】
【請求項１】
第１の印刷用紙を示す第１のオブジェクトと、第２の印刷用紙を示す第２のオブジェクトとを表示させる表示制御手段と、
前記第１のオブジェクトと前記第２のオブジェクトとが表示された操作画面に対するユーザによるタッチ操作に基づき、前記第１の印刷用紙と前記第２の印刷用紙との間に挿入紙を挿入する指示を受け付ける受付手段とを有し、
前記表示制御手段は、前記指示を受け付けた場合に、該挿入紙のための用紙に関する設定を行うための設定画面を表示させる制御を行うことを特徴とする印刷設定装置。
【発明の詳細な説明】
【技術分野】
【０００１】
本発明は、印刷設定装置に関する。
【背景技術】
【０００２】
従来、複写機などの画像形成装置において、画像の簡易編集や後処理を行う場合、操作部から各種処理モード画面に移行し、それぞれの処理モード内で詳細な設定を行うことが一般的であった。
【０００３】
そのような画像形成装置の処理モードの１つとして、挿入紙設定が知られている。挿入紙には合紙と章紙があり、合紙とは印刷されたページの枚数確認を容易に行うために、ページの区切りの印として印刷物のページの間に挟む異なる種類の用紙のことである。
【０００４】
一方、章紙とは合紙と同様に印刷物に挿入される異なる種類の用紙であるが、章の区切れを示し、冊子の中表紙などのように原稿ページの画像が片面もしくは両面に印刷されるものである。
【０００５】
この合紙や章紙に色紙やタブ紙など原稿ページの用紙種類と異なる種類の用紙を用いることで、ユーザにとって中表紙や章区切りが見やすい冊子を出力することができる。
【０００６】
従来の操作部での挿入紙設定方法は、設定用のモード画面に移行し数階層表示を切り替えて行う必要があったため、設定手順が多くユーザフレンドリーでなかった。
【０００７】
特に、数値を入力して挿入ページを設定する方法は、原稿ページに対する挿入紙の位置がわかりづらく、実際の後処理が所望の位置に行われないことによって出力物の品質が低下したり、再印刷を行うことにより生産性や省資源性が低下していた。
【０００８】
これに対し、原稿をプレビュー画面内にプレビュー画像として表示し、タッチパネルのタッチ操作で原稿画像の簡易編集と後処理の設定をプレビュー画像に反映しながら行い、プレビュー画面の表示のように印刷または後処理を行う技術がある。（特許文献１参照）  例えば、合紙の場合、合紙のプレビュー画像に指を置き、そのプレビュー画像を指の操作で移動して、ページ間に合紙を挿入する。
【先行技術文献】
【特許文献】
【０００９】
【特許文献１】特開２００４−２８２４３９号公報
【発明の概要】
【発明が解決しようとする課題】
【００１０】
しかしながら、特許文献１に開示される技術では、合紙を挿入するためのプレビュー画面の操作方法であり、章紙のように原稿ページを印刷する挿入紙の設定に関しては、言及されていない。
【００１１】
そのため、特許文献１の方法で章紙を挿入する場合、原稿ページから章紙を用いるページを予め印刷しておき、その用紙を合紙として挿入する設定が必要となり、設定手順が煩雑になっていた。
【００１２】
本発明の目的は、挿入紙の設定を、実際の挿入動作のイメージに近い直感的な操作で実現できるようにすることにある。
【課題を解決するための手段】
【００１３】
上記目的を達成するために、本願発明の印刷設定装置は、第１の印刷用紙を示す第１のオブジェクトと、第２の印刷用紙を示す第２のオブジェクトとを表示させる表示制御手段と、前記第１のオブジェクトと前記第２のオブジェクトとが表示された操作画面に対するユーザによるタッチ操作に基づき、前記第１の印刷用紙と前記第２の印刷用紙との間に挿入紙を挿入する指示を受け付ける受付手段とを有し、前記表示制御手段は、前記指示を受け付けた場合に、該挿入紙のための用紙に関する設定を行うための設定画面を表示させる制御を行うことを特徴とする。
【発明の効果】
【００１４】
本発明によれば、挿入紙の設定を、実際の挿入動作のイメージに近い直感的な操作で実現することが可能となる。
【図面の簡単な説明】
【００１５】
【図１】本発明の実施の形態に係る画像形成装置及び操作端末（印刷設定装置）の外観を示す図である。
【図２】図１における操作端末の外観を示す図である。
【図３】図１におけるＭＦＰ部と操作端末の概略構成を示す図である。
【図４】図２におけるタッチスクリーンディスプレイに表示されるスキャンデータのプレビュー表示を示す図である。
【図５】図２におけるタッチスクリーンディスプレイに表示された挿入紙設定用のプレビュー表示を示す図である。
【図６】挿入紙の給紙箇所設定方法を説明するための図である。
【図７】図７は、章紙の挿入方法を説明するための図である。
【図８】合紙と章紙の挿入の解除方法を説明するための図である。
【図９】図２における操作制御部及びＣＰＵにより実行される印刷処理の手順を示すフローチャートである。
【図１０】図９の印刷処理におけるステップＳ１０８の挿入紙設定処理の手順を示すフローチャートである。
【図１１】用紙登録情報の一例を示す図である。
【図１２】両面印刷設定時の設定方法を説明するための図である。
【図１３】タッチスクリーンディスプレイに表示した両面印刷設定時の挿入紙設定用のプレビュー表示を示す図である。
【図１４】章紙の挿入方法を説明するための図である。
【図１５】章紙の両面に印刷する方法を説明するための図である。
【図１６】図２における操作制御部及びＣＰＵにより実行される印刷処理の手順を示すフローチャートである。
【図１７】図１６の印刷処理におけるステップＳ３１０の挿入紙設定処理の手順を示すフローチャートである。
【図１８】挿入紙の用紙選択画面を示す図である。
【図１９】本体画像の用紙カセット部から挿入紙を設定する方法を説明するための図である。
【図２０】図２における操作制御部により実行される挿入紙設定処理の手順を示すフローチャートである。
【図２１】本体画像の用紙カセット部にセットされた用紙から挿入紙を設定する方法を説明するための図である。
【図２２】図２における操作制御部及びＣＰＵにより実行される印刷処理の手順を示すフローチャートである。
【図２３】図２２の印刷処理におけるステップＳ６１１の挿入紙設定処理の手順を示すフローチャートである。
【発明を実施するための形態】
【００１６】
以下、本発明の実施の形態について図面を参照しながら詳述する。
【００１７】
［第１の実施の形態］
図１は、本発明の実施の形態に係る画像形成装置９０及び操作端末（印刷設定装置）１００の外観を示す図である。
【００１８】
図１において、画像形成装置９０は、画像形成装置９０の操作設定及びプレビュー操作を行う操作端末１００（情報処理装置）が画像形成装置と分離可能な構成として用意されている。
【００１９】
操作端末１００は、初めから画像形成装置９０に付随した構成でも良いし、タブレット等の電子端末を使用する構成でも良い。
【００２０】
本実施の形態ではタブレットやスマートフォン等の電子端末を使用する構成とする。また、電子端末を本画像形成装置の操作部として使用するために必要な操作部用の操作画面表示及び制御プログラムは、別途操作端末１００独自の通信手段等でダウンロードすることで実装されている構成とする。
【００２１】
ＭＦＰ部１０１は、例えば複写・印刷・ファクシミリ送受信などの機能を実現する多機能印刷機（Multi Function Printer）である。本実施の形態では、操作端末とＭＦＰ部１０１間で無線ネットワーク回線を介した通信をしながら操作設定及びプレビュー機能を行うことが可能である。
【００２２】
ＭＦＰ部１０１へ記録紙である用紙を給紙する方法には、用紙カセット部１０２〜１０４または手差しトレイ部１０５から給紙する方法がある。手差しトレイ部１０５は、厚紙やＯＨＰなど用紙カセット部１０２〜１０４から給紙できない特殊な用紙を給紙するために用いられる。
【００２３】
また、インサーター１０６に予め用意しておいた用紙をセットすると、印刷物の任意のページに用紙を挿入することができる。
【００２４】
用紙カセット部１０２〜１０４、手差しトレイ部１０５、及びインサーター１０６にセットした用紙のサイズや種類などの用紙情報は、操作端末１００を用いてＭＦＰ部１０１に登録が可能である。そして、登録された用紙情報は用紙登録情報としてＭＦＰ部１０１に記憶される。この用紙登録情報については後述する。
【００２５】
排紙トレイ１０７は、ＭＦＰ部１０１で印刷された用紙が出力される。原稿搭載台１０８は、後述のスキャン処理を行う際に原稿がセットされ、スキャン処理が開始される。
【００２６】
操作端末１００では、無線通信回線を介して画像データの授受を行うことができる。この場合の画像データはプレビューを行うためにＭＦＰ部が作成する画像データ全般を指しており、例えば操作端末に表示するプレビュー画像や、操作部上で印刷等の指示を行うためのメニュー表示等の入力指示用の画像データである。
【００２７】
操作端末１００を用いてユーザは、表示されるプレビュー画面やメニュー画面を用いて、印刷方法や後処理の指定等を行うことが可能である。
【００２８】
図２は、図１における操作端末１００の外観を示す図である。
【００２９】
図２において、操作端末１００は、タッチスクリーンディスプレイ２００が設けられ、人間の指２２２やペン等によって操作された位置を検知することができる。
【００３０】
図３は、図１におけるＭＦＰ部１０１と操作端末１００の概略構成を示す図である。
【００３１】
図３において、操作端末１００は、操作制御部２０５、画像形成装置９０と通信を行う通信手段であるネットワーク通信部２０９、メモリ２０７、タッチスクリーンディスプレイ２００、及びアンテナ２１０で構成される。
【００３２】
操作制御部２０５は、操作端末１００全体を制御する。また、操作制御部２０５は、図示しないＣＰＵやソフトウェア情報が書き込まれた不揮発性メモリ等を有している。操作端末１００を制御する際に一時的に記憶して置くべきデータや情報はメモリインタフェース２０６を介してメモリ２０７に一時記憶する。
【００３３】
こうした動作によって、タッチスクリーン２０１から入力された各座標情報と、メモリ２０７内に記憶された一時情報を、図示しない不揮発性メモリに記憶されたソフトウェアによって設定情報として解釈する。
【００３４】
これによりＭＦＰ部１０１への設定情報を生成し、ネットワークインタフェース２０８を介してネットワーク通信部２０９からＭＦＰ部１０１へ設定情報を送信する。
【００３５】
タッチスクリーンディスプレイ２００は、透明な材質で形成されたタッチスクリーン２０１とその下部に液晶ディスプレイ２０２を合わせて２層構造となっている。このように、操作端末１００は、表示部である液晶ディスプレイ２０２と組み合わされたタッチスクリーン２０１を備えている。
【００３６】
タッチスクリーンディスプレイ２００の操作は、動作モードの選択、各種機能の設定、動作指示、並びに画像データに対する編集処理時の画像データの選択や移動といった処理を割り当てることが可能である。
【００３７】
また、タッチスクリーンディスプレイ２００は、ＭＦＰ部１０１で生成された画像データを表示しながら、タッチ・ドラッグ・ピンチ・フリック等の操作や画像データの所望の座標位置情報の指定等の処理を割り当てることが可能である。
【００３８】
また、操作制御部２０５はタッチスクリーン２０１、液晶ディスプレイ２０２のそれぞれに必要なデータや情報および制御信号を送受信する。
【００３９】
具体的に、タッチスクリーン２０１は、タッチスクリーン制御インタフェース２０３によって操作制御部２０５に接続され、タッチスクリーン２０１によって得られた座標情報が操作制御部２０５に送信される。
【００４０】
また、液晶ディスプレイ２０２は、液晶ディスプレイインタフェース２０４によって操作制御部２０５に接続され、この液晶ディスプレイインタフェース２０４によって表示する画像データを受信する。
【００４１】
次に、ＭＦＰ部１０１について説明する。
【００４２】
ＭＦＰ部１０１は、ネットワーク通信部２１９、アンテナ２２０、データバスインタフェース２１１、画像処理部２１４、プレビュー画像生成部２１５、メモリ２１６、プリンタ部２１７、スキャナ部２１８、ＣＰＵ２１２、及びＲＯＭ２１３で構成される。
【００４３】
ネットワーク通信部２１９、画像処理部２１４、プレビュー画像生成部２１５、メモリ２１６、プリンタ部２１７、スキャナ部２１８、ＣＰＵ２１２、及びＲＯＭ２１３は、データバスインタフェース２１１で接続される。
【００４４】
データバスインタフェース２１１のバスマスタは、ネットワーク通信部２１９、画像処理部２１４、プレビュー画像生成部２１５、プリンタ部２１７、スキャナ部２１８、ＣＰＵ２１２であり、いわゆるＤＭＡＣに相当するメモリへのデータ転送手段を有する。データバスインタフェース２１１でのデータ転送は、主に各バスマスタからの転送データを、メモリ２１６へ転送する際に使用される。
【００４５】
画像処理部２１４は、操作端末１００より送られる印刷設定に従って、転送された画像データの画像処理を行う。画像処理部２１４において画像処理された画像データは、メモリ２１６へ記憶される。
【００４６】
プレビュー画像生成部２１５は、メモリ２１６に記憶された画像処理後の画像データを読み出し、タッチスクリーンディスプレイ２００に表示するプレビュー画像を形成する。
【００４７】
プリンタ部２１７は、メモリ２１６に記憶された画像処理後の画像データを受信し、例えば電子写真方式のプリンタであれば、ＰＷＭ変調によって感光像担持体に潜像形成するレーザパルスを生成する。感光像担持体に潜像形成された画像は、用紙に転写・定着されて出力される。
【００４８】
スキャナ部２１８は、図示しない読み取りセンサにより原稿を読み取り、デジタルデータ化した画像データをメモリ２１６に記憶する。不図示の操作画面にてスキャン処理が選択された後、原稿搭載台１０８に載置された原稿は、ＣＰＵ２１２の指示により不図示の読み取りセンサからスキャンデータとして読み取られる。読み取られたスキャンデータは、スキャナ部２１８に入力されデジタルデータに変換された後、メモリ２１６に記憶される。
【００４９】
ＣＰＵ２１２は、メモリ２１６に記憶されたスキャンデータを画像処理部２１４に送り、各種画像処理を施した後にプレビュー画像を生成する。生成されたプレビュー画像はメモリ２１６に記憶され、操作端末１００にプレビュー画像を表示する場合は、ＣＰＵ２１２によりメモリ２１６に記憶されているプレビュー画像データが無線通信回線２２１を介して、操作端末１００に送信される。
【００５０】
上記各バスマスタの動作は、ＣＰＵ２１２によって制御され、ＣＰＵ２１２はＲＯＭ２１３に記憶されているプログラムによって動作する。
【００５１】
このように、画像形成装置９０は、操作端末１００と通信可能であり、記録紙に画像を印刷する印刷手段（プリンタ部２１７）と、記録紙を印刷手段に給紙する給紙手段（手差しトレイ部１０５、用紙カセット部１０２〜１０４、インサーター１０６）を備えている。
【００５２】
次に、操作端末１００とＭＦＰ部１０１間のネットワーク通信について説明する。
【００５３】
ネットワーク通信部２０９、２１９は、操作端末１００およびＭＦＰ部１０１にそれぞれ設けられ、ＷＬＡＮ通信方式によるネットワーク無線通信を行う。
【００５４】
ネットワーク通信部２０９にはアンテナ２１０が接続され、ネットワーク通信部２１９にはアンテナ２２０が接続される。ネットワーク通信部２０９，２１９はそれぞれ通信データを転送用のパルス波に変換したり、その逆の変換を行ったりする。
【００５５】
ＭＦＰ部１０１のネットワーク通信部２１９は、無線通信回線２２１からアンテナ２２０を介して受信したパルス波を通信データに変換し、データバスインタフェース２１１を介して画像処理部２１４へ送る。
【００５６】
またネットワーク通信部２１９は、画像処理部２１４からデータバスインタフェース２１１を介して受信した通信データを転送用のパルス波に変換して、アンテナ２２０を介して無線通信回線２２１へ送信する。
【００５７】
図４は、図２におけるタッチスクリーンディスプレイ２００に表示されるスキャンデータのプレビュー表示を示す図である。
【００５８】
図４において、プレビュー表示３０１には、スキャナ部２１８により読み取られた複数のスキャンデータに基づく複数ページのプレビュー画像３０２Ａ〜３０２Ｅが表示されている。
【００５９】
例として、プレビュー画像３０２Ａ〜３０２Ｅを、スキャンデータの各ページに順番に書かれたアルファベットの文字Ａ〜Ｅとしている。
【００６０】
操作制御部２０５は、ＭＦＰ部１０１から受信したプレビュー画像データを用いて、プレビュー画像３０２をオブジェクト表示領域３０３に表示する。このオブジェクトとはプレビュー画像データのことである。
【００６１】
また、タッチスクリーンディスプレイ２００には表示されていないが、プレビュー画像３０２Ｅより後のページとして３０２Ｆ、３０２Ｇなどが存在するものとする。
【００６２】
また、プレビュー表示３０１には、複数ページのプレビュー画像３０２に加え、各種印刷設定キーが配置される。本実施の形態では、一例として挿入紙設定キー３０４と挿入紙設定以外を行うためのその他印刷設定キー３０５を表示している。いずれかの印刷設定キーが押下されると、プレビュー表示３０１が各種の印刷設定の画面表示へ切り替わり、印刷設定が開始できるようになる。
【００６３】
図５は、図２におけるタッチスクリーンディスプレイ２００に表示された挿入紙設定用のプレビュー表示を示す図である。
【００６４】
なお、以下で説明する合紙とは、ページの区切れを示すもので、画像は印刷されない。一方、章紙とは、章の区切れを示すもので、画像が印刷される。また、挿入紙とは、合紙と章紙を含む。
【００６５】
図５における挿入紙設定用プレビュー表示は、スキャン処理後、図４のプレビュー表示３０１の挿入紙設定キー３０４のタッチ操作により挿入紙設定が選択された際に表示される。
【００６６】
図５（Ａ）は、挿入紙設定用プレビュー表示の初期画面である。図４のプレビュー表示に対し、挿入紙設定用プレビュー表示では、オブジェクト表示領域３０３の上部に挿入紙プレビュー画像３０６が表示される。ここで表示される挿入紙プレビュー画像は、予め用意された画像である。このように、複数のページからなる文書を印刷する際に、挿入紙を示す挿入紙画像（挿入紙プレビュー画像３０６）と、ページ順に一列に並べてページを示すプレビュー画像（複数ページのプレビュー画像３０２）が表示される。
【００６７】
図５（Ｂ）は、スクロール操作を示す図である。
【００６８】
図５（Ａ）のプレビュー表示の初期画面に対し、図５（Ｂ）のように、タッチスクリーンディスプレイ２００でオブジェクト表示領域３０３を右から左へスクロールのタッチ操作を行うと複数ページのプレビュー画像３０２の表示が移動する。
【００６９】
これにより、ユーザは挿入紙を挿入したい位置に合わせてプレビュー画像３０２の表示を移動できる。
【００７０】
図５（Ｃ）は、合紙を挿入する操作を示す図である。
【００７１】
図５（Ｃ）において、タッチスクリーンディスプレイ２００に対し、挿入紙プレビュー画像３０６の位置からオブジェクト表示領域３０３のプレビュー画像３０２Ｄと３０２Ｅの間の位置へドラッグ操作し、その位置で指を離す。
【００７２】
このようにすることで、合紙を挿入する位置を確定する。ここで、ドラッグ操作とは、タッチスクリーンディスプレイ２００でプレビュー画像のタッチ操作による選択状態のまま、その指を画面上で移動させる操作のことを示す。
【００７３】
図５（Ｄ）は、合紙が挿入された様子を示す図である。
【００７４】
図５（Ｄ）において、タッチスクリーンディスプレイ２００のオブジェクト表示領域のプレビュー画像３０２Ｄと３０２Ｅの間の位置に挿入された合紙のプレビュー画像３０７が表示され、合紙の挿入が完了する。このように、本実施の形態では、ユーザのドラッグ操作により、隣り合うプレビュー画像の間に挿入紙画像が挿入された場合には、挿入紙画像を合紙として設定する。
【００７５】
図６は、挿入紙の給紙箇所設定方法を説明するための図である。
【００７６】
図６（Ａ）は、給紙箇所設定するために、画像形成装置の本体画像３０９を表示した画面を示す図である。
【００７７】
図６（Ａ）に示されるように、タッチスクリーンディスプレイ２００のオブジェクト表示領域３０３の上部に、挿入した合紙に対する用紙設定の案内３０８と画像形成装置の本体画像３０９が表示される。
【００７８】
図６（Ｂ）は、給紙箇所設定操作を示す図である。
【００７９】
図６（Ｂ）に示されるように、ユーザは本体画像３０９の用紙カセット部１０２〜１０４、手差しトレイ部１０５、及びインサーター１０６のいずれかをタッチすることで、合紙のための用紙カセットを選択する。図６（Ｂ）では、用紙カセット部１０２を選択した例を示している。
【００８０】
図６（Ｃ）は、用紙設定の詳細を示す図である。
【００８１】
図６（Ｃ）に示されるように、合紙の用紙カセットが選択されると、選択された用紙カセット部１０２に対して予めＭＦＰ部１０１に登録されている用紙情報から合紙の用紙設定の用紙登録情報３１５が表示される。
【００８２】
そして、挿入紙設定を完了する場合、ユーザは設定完了キー３１６を押下し、挿入紙設定を解除する場合は、設定解除キー３１７を押下する。
【００８３】
以上のように、図５，６で示したタッチスクリーンディスプレイ２００の操作により、合紙の挿入設定ができる。２枚目以降の合紙の挿入設定を行う場合は、図５（Ｂ）〜（Ｄ）の合紙の挿入操作を繰り返す。この場合、合紙の給紙箇所は１枚目の合紙の給紙箇所設定ですでに完了しているため、図６で説明した操作は不要となる。このように、画像形成装置９０が備える複数の給紙手段の各々を示す給紙画像を表示部に表示させ、合紙または章紙として設定された挿入紙を給紙する給紙手段を表示部に表示させた給紙画像の中からユーザに選択させる。ここでの給紙画像は、本体画像３０９に含まれる手差しトレイ部１０５、用紙カセット部１０２〜１０４、インサーター１０６を示す画像である。
【００８４】
図７（Ａ）（Ｂ）は、章紙の挿入方法を説明するための図である。
【００８５】
図７（Ａ）において、タッチスクリーンディスプレイ２００の挿入紙プレビュー画像３０６が表示されている位置からオブジェクト表示領域３０３のプレビュー画像３０２Ｅの位置へ、プレビュー画像が重なるようにドラッグ操作し、その位置で指を離す。このようにすることで、章紙を挿入する位置を確定する。
【００８６】
図７（Ｂ）に示されるように、タッチスクリーンディスプレイ２００のオブジェクト表示領域３０３のプレビュー画像３０２Ｅの位置に章紙が挿入されたことを示す章紙のプレビュー画像３１８が表示され、章紙の挿入が完了する。
【００８７】
ここで挿入された章紙は、章紙のプレビュー画像３１８のように、プレビュー画像３０２Ｅに示される文字Ｅが印刷されることになる。次にユーザが行う給紙箇所設定操作は、図６に示した操作と同じ操作である。このように、本実施の形態では、ユーザのドラッグ操作により、プレビュー画像に挿入紙画像が重ねられた場合には、重ねられたプレビュー画像を章紙として設定する。
【００８８】
図８は、合紙と章紙の挿入の解除方法を説明するための図である。
【００８９】
図８（Ａ）は合紙の挿入の解除方法を説明するための図である。
【００９０】
図８（Ａ）において、図５（Ｄ）の合紙のプレビュー画像３０７のように挿入された合紙を解除する場合は、図８（Ａ）のように合紙のプレビュー画像３０７を選択し、ドラッグ操作によりオブジェクト表示領域３０３の外へ移動する。
【００９１】
図８（Ｂ）は章紙の挿入の解除方法を説明するための図である。
【００９２】
図８（Ｂ）において、図７（Ｂ）の章紙のプレビュー画像３１８のように挿入された章紙を解除する場合も同様に、図８（Ｂ）のように章紙のプレビュー画像３１８を選択し、ドラッグ操作によりオブジェクト表示領域３０３の外へ移動する。
【００９３】
図８（Ｃ）は、合紙と章紙の挿入が解除された画面を示す図である。
【００９４】
合紙または章紙が解除されると、図８（Ｃ）のような挿入前のプレビュー表示３０１が表示される。これにより、前述の設定解除キー３１７による挿入紙設定解除方法に対し、ページ毎に挿入紙設定を解除することができる。このように、本実施の形態では、合紙または章紙として設定された挿入紙に対応するプレビュー画像がユーザのドラッグ操作により予め定められた範囲外（オブジェクト表示領域３０３の外）に移動されたときは、合紙または章紙としての設定を解除する。
【００９５】
図９は、図２における操作制御部２０５及びＣＰＵ２１２により実行される印刷処理の手順を示すフローチャートである。操作制御部２０５による処理は、操作制御部２０５が有するＣＰＵが、メモリ２０７に記憶されたプログラムを読み出して実行することによって行われる。また、ＭＦＰ部１０１のＣＰＵ２１２による処理は、ＣＰＵ２１２が、ＲＯＭ２１３に記憶されたプログラムをメモリ２１６に読み出して実行することによって行われる。
【００９６】
なお、図９において、両フローチャート間に示されている矢印は無線通信回線２２１を介して行われる通信であり、操作端末１００及びＭＦＰ部１０１のいずれか一方からの通信が来ない間、他方における処理は停止しているものとする。
【００９７】
操作端末１００において、操作制御部２０５は、スキャン設定やスキャン開始など、不図示の各種設定画面をタッチスクリーンディスプレイ２００に表示する（ステップＳ１０１）。このとき、設定画面に表示する各種設定用のソフトキー画像は、予めこれらを表示するためのプログラムを操作端末１００のメモリ２０７に記憶しておくものとする。
【００９８】
そして、ＭＦＰ部１０１に対して操作を行う場合に、メモリ２０７からプログラムを読み出し、実行することで、タッチスクリーンディスプレイ２００に設定画面が表示される。
【００９９】
次いで、タッチスクリーンディスプレイ２００でユーザにより原稿のスキャンの開始が指定されると（ステップＳ１０２でＹＥＳ）、操作制御部２０５は、ＭＦＰ部１０１に原稿スキャン開始を示すスキャン開始要求を送信する。そして、操作端末１００の処理は待ち状態となる。
【０１００】
操作端末１００から無線通信回線２２１を介して、スキャン開始要求が送信されるため、ＭＦＰ部１０１はこれを受信し、ＣＰＵ２１２は、スキャナ部２１８に原稿読み込み開始要求を行い、スキャン動作を開始する（ステップＳ１０３）。そして、スキャナ部２１８で生成されるスキャンデータはメモリ２１６に記憶される。
【０１０１】
メモリ２１６に記憶されたスキャンデータを画像処理部２１４に送り、ＣＰＵ２１２は、各種画像処理を施した後にプレビュー画像データを生成する（ステップＳ１０４）。生成されたプレビュー画像データは再びメモリ２１６に記憶され、ＣＰＵ２１２によりメモリ２１６に記憶されているプレビュー画像データが無線通信回線２２１を介して、操作端末１００に送信される。
【０１０２】
操作端末１００の操作制御部２０５は、ＭＦＰ部１０１より転送されたプレビュー画像データを受信し、操作端末１００のメモリ２０７へ記憶する。その後、操作制御部２０５は、タッチスクリーンディスプレイ２００に図４のような複数ページのプレビューとして表示する（ステップＳ１０５）。このステップＳ１０５は、プレビュー画像表示手段に対応する。
【０１０３】
次いで、操作制御部２０５は、タッチスクリーンディスプレイ２００で挿入紙設定の開始が指定されたか否か判別する（ステップＳ１０６）。
【０１０４】
ステップＳ１０６の判別の結果、タッチスクリーンディスプレイ２００で挿入紙設定の開始が指定されていないときは（ステップＳ１０６でＮＯ）、ステップＳ１０９に進む。
【０１０５】
一方、ステップＳ１０６の判別の結果、タッチスクリーンディスプレイ２００で挿入紙設定の開始が指定されたときは（ステップＳ１０６でＹＥＳ）、ステップＳ１０７に進む。そして、操作制御部２０５は、図５（Ａ）に示す挿入紙設定用のプレビュー表示へ操作端末１００の表示画面を切り替える（ステップＳ１０７）。
【０１０６】
そして、操作制御部２０５は、図５〜図８に示す挿入紙設定用のプレビュー画像に対する操作をもとに挿入紙設定を行う挿入紙設定処理を実行する（ステップＳ１０８）。この挿入紙指定処理については後述する。また、このステップＳ１０８は、挿入紙設定手段に対応する。
【０１０７】
次いで、操作制御部２０５は、タッチスクリーンディスプレイ２００で挿入紙設定以外の印刷設定の開始が指定されたか否か判別する（ステップＳ１０９）。挿入紙設定以外の印刷設定とは、今の場合、その他印刷設定キー３０５が押下されたことによる設定とする。
【０１０８】
ステップＳ１０９の判別の結果、挿入紙設定以外の印刷設定の開始が指定されていないときは（ステップＳ１０９でＮＯ）、ステップＳ１１２に進む。
【０１０９】
一方、ステップＳ１０９の判別の結果、挿入紙設定以外の印刷設定の開始が指定された場合（ステップＳ１０９でＹＥＳ）、操作制御部２０５は、表示画面にその他の印刷設定用のプレビュー表示を行う（ステップＳ１１０）。次いで、その他の印刷設定用のプレビューの操作を通して各種印刷設定を行う。
【０１１０】
そして、操作制御部２０５は、タッチスクリーンディスプレイ２００の不図示の操作画面ですべての印刷設定の完了が指定されたか否か判別する（ステップＳ１１２）。
【０１１１】
ステップＳ１１２の判別の結果、すべての印刷設定が完了していないときは（ステップＳ１１２でＮＯ）、ステップＳ１０６に戻る。
【０１１２】
一方、ステップＳ１１２の判別の結果、すべての印刷設定が完了したときは（ステップＳ１１２でＹＥＳ）、操作制御部２０５は、タッチスクリーンディスプレイ２００に不図示の印刷動作開始ウィンドウ表示を行う（ステップＳ１１３）。
【０１１３】
そして、印刷動作開始ウィンドウ表示において、印刷開始が指定されると（ステップＳ１１４でＹＥＳ）、操作制御部２０５は、上記の各種印刷設定情報と印刷開始要求を無線通信回線２２１を介してＭＦＰ部１０１へ送信する。そして、操作端末１００における印刷処理を終了する。
【０１１４】
一方、ＭＦＰ部１０１のＣＰＵ２１２は、操作端末１００から無線通信回線２２１を介して、印刷設定情報と印刷開始要求が転送されるため、ＭＦＰ部１０１はこれらを受信し、印刷設定情報に基づいた印刷を行う（ステップＳ１１５）。そして、ＭＦＰ部１０１における印刷処理を終了する。
【０１１５】
図９の処理によれば、ユーザのドラッグ操作により、隣り合う前記プレビュー画像の間に挿入紙画像が挿入された場合には、挿入紙画像を合紙として設定し、プレビュー画像に挿入紙画像が重ねられた場合には、重ねられたプレビュー画像を章紙として設定する。その結果、画像形成装置に対する合紙または挿入紙を含む挿入紙の設定を、実際の挿入動作のイメージに近い直感的な操作で実現可能となる。
【０１１６】
図１０は、図９の印刷処理におけるステップＳ１０８の挿入紙設定処理の手順を示すフローチャートである。図１０の処理は、操作制御部２０５による処理であり、操作制御部２０５が有するＣＰＵが、メモリ２０７に記憶されたプログラムを読み出して実行することによって行われる。
【０１１７】
図１０におけるステップＳ２０１〜Ｓ２０５は、合紙の挿入設定に関する処理である。
【０１１８】
図１０において、挿入紙設定用のプレビュー表示で、図５（Ａ）〜（Ｄ）で説明した合紙の挿入が検出されたか否か判別する（ステップＳ２０１）。
【０１１９】
具体的には、図５（Ｃ）のように、挿入紙のプレビュー画像３０２を、オブジェクト表示領域３０３のプレビュー画像３０２の２ページ間に移動するドラッグ操作が行われた否か判別する。
【０１２０】
ステップＳ２０１の判別の結果、合紙の挿入が検出されないときは（ステップＳ２０１でＮＯ）、ステップＳ２０６に進む。
【０１２１】
一方、ステップＳ２０１の判別の結果、合紙の挿入が検出されたときは（ステップＳ２０１でＹＥＳ）、タッチスクリーンディスプレイ２００の表示を図５（Ｄ）のような合紙挿入後のプレビュー画像へと更新する。そして、合紙の挿入位置情報を操作端末１００のメモリ２０７に記憶することで合紙の挿入位置設定を行う（ステップＳ２０２）。
【０１２２】
操作端末１００のメモリ２０７の挿入紙設定情報を参照し、合紙の用紙を設定済か否か判別する（ステップＳ２０３）。
【０１２３】
ステップＳ２０３の判別の結果、合紙の用紙を設定済のときは（ステップＳ２０３でＹＥＳ）、ステップＳ２１３に進む。
【０１２４】
一方、ステップＳ２０３の判別の結果、合紙の用紙を設定済ではないときは（ステップＳ２０３でＮＯ）、タッチスクリーンディスプレイ２００に図６（Ａ）に示す合紙の用紙設定画面を表示する（ステップＳ２０４）。
【０１２５】
次いで、図６（Ｂ）のようなユーザによる合紙の用紙カセット部の選択の指定を検出すると、指定の用紙カセット部にＭＦＰ部１０１に予め登録されている用紙登録情報の転送要求をＭＦＰ部１０１へ送信する。この用紙登録情報については次の図１１で説明する。
【０１２６】
そして、ＭＦＰ部１０１より受信した用紙登録情報を合紙の挿入設定として操作端末１００のメモリ２０７に記憶し、図６（Ｃ）のように合紙の用紙登録情報３１５をタッチスクリーンディスプレイ２００に表示する。このようにして、合紙の用紙カセット部と種類が設定される（ステップＳ２０５）。
【０１２７】
そして、図６（Ｃ）で説明した挿入紙の設定完了キー３１６がユーザにより押下されたか否か、すなわち挿入紙の設定が終了したか否か判別する（ステップＳ２１３）。
【０１２８】
ステップＳ２１３の判別の結果、挿入紙の設定が終了していないときは（ステップＳ２１３でＮＯ）、ステップＳ２０１に進み、挿入紙の設定が終了したときは（ステップＳ２１３でＹＥＳ）、本処理を終了する。
【０１２９】
ステップＳ２０１に戻り、ステップＳ２０１の判別の結果、合紙の挿入が検出されないときは（ステップＳ２０１でＮＯ）、章紙の挿入が検出されたか否か判別する（ステップＳ２０６）。
【０１３０】
ステップＳ２０６〜Ｓ２１０は、章紙の挿入設定に関する処理である。合紙の挿入紙設定処理Ｓ２０１〜Ｓ２０５との違いは、ステップＳ２０６において、図５（Ｃ）、（Ｄ）と、図７（Ａ）、（Ｂ）で説明した挿入紙設定用のプレビュー表示での挿入操作が行われたか否かを検出する点である。
【０１３１】
具体的には、図７（Ａ）のように、挿入紙プレビュー画像３０６を、オブジェクト表示領域３０３の・BR>Vレビュー画像３０２のいずれかのページに重ねるように移動するドラッグ操作が行われたかどうかを検出する。
【０１３２】
ステップＳ２０６の判別の結果、章紙の挿入が検出されなかったときは（ステップＳ２０６でＮＯ）、ステップＳ２１１に進む。
【０１３３】
一方、ステップＳ２０６の判別の結果、章紙の挿入が検出されたときは（ステップＳ２０６でＹＥＳ）、タッチスクリーンディスプレイ２００の表示を図７（Ｂ）のような章紙挿入後のプレビュー画像へと更新する。そして、章紙の挿入位置情報を操作端末１００のメモリ２０７に記憶することで章紙の挿入位置設定を行う（ステップＳ２０７）。
【０１３４】
操作端末１００のメモリ２０７の挿入紙設定情報を参照し、章紙の用紙を設定済か否か判別する（ステップＳ２０８）。
【０１３５】
ステップＳ２０８の判別の結果、章紙の用紙を設定済のときは（ステップＳ２０８でＹＥＳ）、ステップＳ２１３に進む。
【０１３６】
一方、ステップＳ２０８の判別の結果、章紙の用紙を設定済ではないときは（ステップＳ２０８でＮＯ）、タッチスクリーンディスプレイ２００に章紙の用紙設定画面を表示する（ステップＳ２０９）。
【０１３７】
次いで、章紙の用紙カセット部の選択の指定を検出すると、指定の用紙カセット部にＭＦＰ部１０１に予め登録されている用紙登録情報の転送要求をＭＦＰ部１０１へ送信する。
【０１３８】
そして、ＭＦＰ部１０１より受信した用紙登録情報を章紙の挿入設定として操作端末１００のメモリ２０７に記憶し、章紙の用紙登録情報３１５をタッチスクリーンディスプレイ２００に表示する。このようにして、章紙の用紙カセット部と種類が設定され（ステップＳ２１０）、上記ステップＳ２１３に進む。
【０１３９】
ステップＳ２０６に戻り、ステップＳ２０６の判別の結果、章紙の挿入が検出されなかったときは（ステップＳ２０６でＮＯ）、ステップＳ２１１に処理を進める。そして、合紙または章紙が挿入された挿入紙設定用のプレビュー表示において、図８（Ａ）、（Ｂ）で説明した挿入紙の解除を検出したか否か判別する（ステップＳ２１１）。
【０１４０】
具体的には、図８（Ａ）、（Ｂ）のように、オブジェクト表示領域３０３に挿入された合紙のプレビュー画像３０７または章紙のプレビュー画像３１８を、オブジェクト表示領域３０３の外へ移動するドラッグ操作が行われたかどうかを検出する。
【０１４１】
ステップＳ２１１の判別の結果、挿入紙の解除を検出しなかったときは（ステップＳ２１１でＮＯ）、本処理を終了する。
【０１４２】
一方、ステップＳ２１１の判別の結果、挿入紙の解除を検出したときは（ステップＳ２１１でＹＥＳ）、タッチスクリーンディスプレイ２００の表示を図８（Ｃ）のような挿入紙設定解除後のプレビュー表示へと更新する。そして、設定を解除した挿入紙の挿入紙設定情報を操作端末１００のメモリ２０７から消去することで、挿入紙設定を解除して（ステップＳ２１２）、上記ステップＳ２１３に進む。
【０１４３】
図１１は、用紙登録情報の一例を示す図である。
【０１４４】
図１１において、用紙登録情報６０２は、用紙カセット１には色紙Ａ、用紙カセット２には色紙Ｂ、用紙カセット３には色紙Ｃ、及び手差しトレイ部１０５にはタブ紙が登録され、インサーター１０６には登録されていないことが示されている。
【０１４５】
なお用紙カセット１は、用紙カセット部１０２に対応し、用紙カセット２は、用紙カセット部１０２に対応し、用紙カセット３は、用紙カセット部１０４に対応している。
【０１４６】
このように、用紙登録情報６０２は、カセット部、手差しトレイ、インサーターの各々に対応する紙の種類が登録されている。
【０１４７】
以上説明したように、本実施の形態ではプレビュー表示上で、原稿ページ間に挿入紙を挿入する操作、または原稿ページ上に挿入紙を重ねる操作により、合紙または章紙の挿入位置を決定できるため、合紙と章紙の挿入設定をより直感的に実行できる。
【０１４８】
［第２の実施の形態］
第１の実施の形態は、片面印刷に特化した挿入紙設定用のプレビュー表示になっていた。そこで、第２の実施の形態では、上記第１の実施の形態の図１〜３で説明したものと同様の構成で、両面印刷設定に適した挿入紙設定方法について説明する。
【０１４９】
まず、タッチスクリーンディスプレイ２００でのプレビュー機能における挿入紙設定を、タッチスクリーンディスプレイ方式の操作手段を使用して、ユーザが指を用いて直感的に操作する概念について説明する。
【０１５０】
図１２は、両面印刷設定時の設定方法を説明するための図である。
【０１５１】
図１２（Ａ）は、タッチスクリーンディスプレイ２００に表示されるスキャンデータのプレビュー表示を示す図である。
【０１５２】
図１２（Ａ）におけるプレビュー表示３０１には、図４に示したプレビュー表示に加え、両面設定キー４０１が表示されている。両面設定キー４０１が押下されると、図１２（Ｂ）に示される両面印刷の設定となる。
【０１５３】
図１２（Ｂ）は、タッチスクリーンディスプレイ２００に表示される両面印刷設定時のスキャンデータのプレビュー表示を示す図である。
【０１５４】
図１２（Ｂ）では、オブジェクト表示領域３０３に２ページが表裏のペアとなるように複数ページのプレビュー画像４０２が表示される。例えば、図１２（Ｂ）に示されるように、両面印刷時はプレビュー画像４０２Ａと４０２Ｂ、４０２Ｃと４０２Ｄ、４０２Ｅと４０２Ｆなどが表裏のペアとなる。
【０１５５】
また、表裏ペアの複数ページのプレビュー画像４０２に加え、片面設定キー４０３が配置される。この片面設定キー４０３は、両面設定キー４０１に代わって表示されるものであり、片面設定キー４０３が押下されると片面印刷の設定となり、図１２（Ａ）の片面印刷設定時のプレビュー表示へと表示が切り替わる。
【０１５６】
図１３は、タッチスクリーンディスプレイ２００に表示した両面印刷設定時の挿入紙設定用のプレビュー表示を示す図である。
【０１５７】
両面印刷設定時の挿入紙設定用プレビュー表示は、図１２（Ｂ）のプレビュー表示３０１の挿入紙設定キー３０４のタッチ操作により挿入紙設定が選択された際に表示される。このように、本実施の形態では、印刷物が両面印刷される場合には、１枚の記録紙に印刷される２つのページを示すプレビュー画像が１組であることを明示するように表示部にプレビュー画像を表示させる。ここでは破線により２つのページを示すプレビュー画像が１組であることを明示している。
【０１５８】
図１３（Ａ）は、挿入紙設定用プレビュー表示の初期画面である。
【０１５９】
図１３（Ａ）では、図５（Ａ）と同様に、挿入紙プレビュー画像３０６がオブジェクト表示領域３０３の上部に表示される。
【０１６０】
図１３（Ｂ）は、スクロール操作を示す図である。
【０１６１】
図１３（Ｂ）に示されるように、図５（Ｂ）と同様にオブジェクト表示領域３０３を右から左へスクロールのタッチ操作を行うと複数ページのプレビュー画像４０２の表示が移動できる。
【０１６２】
図１３（Ｃ）は、合紙を挿入する操作を示す図である。
【０１６３】
合紙を挿入する場合は、図１３（Ｃ）のようにタッチスクリーンディスプレイ２００に対し、挿入紙プレビュー画像３０６の位置からオブジェクト表示領域３０３のプレビュー画像４０２Ｄと４０２Ｅの間の位置へドラッグ操作し、その位置で指を離す。このように、本実施の形態では、隣り合う組の間に挿入紙画像が挿入された場合には、挿入紙画像を合紙として設定する。
【０１６４】
図１３（Ｄ）は、合紙が挿入された様子を示す図である。
【０１６５】
図１３（Ｄ）に示されるように、タッチスクリーンディスプレイ２００のオブジェクト表示領域のプレビュー画像４０２Ｄと４０２Ｅの間の位置に挿入された表裏の２ページ分の合紙のプレビュー画像４０４Ａ、４０４Ｂが表示され、合紙の挿入が完了する。
【０１６６】
このとき、合紙は原稿ページの画像が印刷されないため、挿入できる位置はプレビュー画像４０２Ｂと４０２Ｃの間、４０２Ｄと４０２Ｅの間のように、前のページの裏面と次のページの表面の間にのみ限定される。すなわち、前のページの裏面と次のページの表面の間への挿入操作により、操作制御部２０５は合紙が挿入されたことを検出する。
【０１６７】
図１４（Ａ）〜（Ｄ）は、章紙の挿入方法を説明するための図である。
【０１６８】
挿入紙設定のプレビュー画面において、挿入紙を挿入したい位置に合わせてプレビュー画像４０２の表示を移動させる操作は、図１３（Ａ）、（Ｂ）の合紙の場合と同様である。
【０１６９】
章紙は原稿ページの画像を表または裏の片面、または両面に印刷することができる。章紙の表面に原稿ページの画像を印刷する場合、図１４（Ａ）のように、挿入紙プレビュー画像３０６の位置からオブジェクト表示領域３０３の表ページでのプレビュー画像４０２Ｅの位置へ、プレビュー画像が重なるようにドラッグ操作し、その位置で指を離す。
【０１７０】
このようにすることで、図１４（Ｂ）のように表面にプレビュー画像３０２Ｅの文字Ｅが印刷され、裏面は白紙となる章紙のプレビュー画像４０５Ａ、４０５Ｂが表示される。
【０１７１】
また、プレビュー画像４０２Ｆ以降のページは、図１４（Ｂ）のプレビュー画像４０２に対し、白紙の章紙のプレビュー画像４０５Ｂが挿入された分、プレビュー画像４０２Ｆ以降のページが１ページずつずれることになる。
【０１７２】
章紙の裏面に原稿ページの画像を印刷する場合、図１４（Ｃ）のように、挿入紙プレビュー画像３０６の位置からオブジェクト表示領域３０３の表ページでのプレビュー画像４０２Ｆの位置へ、プレビュー画像が重なるようにドラッグ操作し、その位置で指を離す。
【０１７３】
このようにすることで、図１４（Ｄ）のように裏面にプレビュー画像３０２Ｆの文字Ｆが印刷され、表面は白紙となる章紙のプレビュー画像４０５Ｃ、４０５Ｄが表示される。また、プレビュー画像４０２Ｅの裏面には、さらに白紙のプレビュー画像４０６が挿入されることになる。
【０１７４】
図１５（Ａ）、（Ｂ）は、章紙の両面に印刷する方法を説明するための図である。
【０１７５】
章紙の両面に原稿ページの画像を印刷する場合、図１５（Ａ）のように、挿入紙プレビュー画像３０６の位置からオブジェクト表示領域３０３のプレビュー画像４０２Ｅと４０２Ｆの間の位置へドラッグ操作し、その位置で指を離す。
【０１７６】
このようにすることで、図１５（Ｂ）のように表面にプレビュー画像３０２Ｅの文字Ｅが表面に、プレビュー画像３０２Ｆの文字Ｆが裏面に印刷された章紙のプレビュー画像４０５Ｅ、４０５Ｆが表示される。
【０１７７】
以上のように、両面印刷時に章紙を挿入する場合、章紙に印刷したい原稿ページ上へ移動する操作により、操作制御部２０５は片面のみ印刷する章紙の挿入を検出し、原稿ページの表裏ページの間へ移動する操作により、両面に印刷する章紙の挿入を検出する。
【０１７８】
なお、第２の実施の形態における合紙または章紙の用紙設定方法は、図６で説明した方法と同様であるため、説明を省略する。このように、本実施の形態では、同じ組のプレビュー画像のうち、いずれか一方のプレビュー画像に挿入紙画像が重ねられた場合には、重ねられたプレビュー画像を章紙として設定する。また、同じ組のプレビュー画像のいずれにも前記挿入紙画像が重ねられた場合には、同じ組の２つのプレビュー画像を章紙として設定する。
【０１７９】
図１６は、図２における操作制御部２０５及びＣＰＵ２１２により実行される印刷処理の手順を示すフローチャートである。操作制御部２０５による処理は、操作制御部２０５が有するＣＰＵが、メモリ２０７に記憶されたプログラムを読み出して実行することによって行われる。また、ＭＦＰ部１０１のＣＰＵ２１２による処理は、ＣＰＵ２１２が、ＲＯＭ２１３に記憶されたプログラムをメモリ２１６に読み出して実行することによって行われる。
【０１８０】
図１６におけるステップＳ３０１〜３０５は、図９におけるステップＳ１０１〜１０５と同じ処理である。また、ステップＳ３１４〜３２０は、ステップＳ１０９〜１１５と同じ処理である。さらに、ステップＳ３１２，３１３は、ステップＳ１０７，１０８と同じ処理である。
【０１８１】
従って、ステップＳ３０６〜３１０が異なっているので、これらの処理について説明する。
【０１８２】
操作端末１００の操作制御部２０５は、両面印刷設定が指定されたか否か判別する（ステップＳ３０６）。ここでは、図１２（Ａ）に示す両面設定キー４０１の座標が押下されることで、両面印刷設定が指定されたこととなる。
【０１８３】
ステップＳ３０６の判別の結果、両面印刷設定が指定された場合（ステップＳ３０６でＹＥＳ）、操作制御部２０５は、タッチスクリーンディスプレイ２００に図１２（Ｂ）のような両面設定時の複数ページのプレビューを表示する（ステップＳ３０７）。
【０１８４】
次いで、操作制御部２０５は、タッチスクリーンディスプレイ２００で挿入紙設定の開始が指定されたか否か判別する（ステップＳ３０８）。ステップＳ３０８の判別の結果、挿入紙設定の開始が指定されなかったときは（ステップＳ３０８でＮＯ）、ステップＳ３１４に進む。
【０１８５】
一方、ステップＳ３０８の判別の結果、挿入紙設定の開始が指定された場合（ステップＳ３０８でＹＥＳ）、ステップＳ３０９に進む。そして、操作制御部２０５は、図１３（Ａ）に示す両面用の挿入紙設定用のプレビュー表示へと、タッチスクリーンディスプレイ２００の表示画面を切り替える（ステップＳ３０９）。
【０１８６】
そして、操作制御部２０５は、図１３〜図１５に示す挿入紙設定用のプレビュー画像に対する操作をもとに挿入紙設定を行う両面挿入紙設定処理を実行する（ステップＳ３１０）。この両面挿入紙指定処理については後述する。
【０１８７】
図１７は、図１６の印刷処理におけるステップＳ３１０の挿入紙設定処理の手順を示すフローチャートである。図１７は、操作制御部２０５における処理であり、操作制御部２０５による処理は、操作制御部２０５が有するＣＰＵが、メモリ２０７に記憶されたプログラムを読み出して実行することによって行われる。
【０１８８】
図１７におけるステップＳ４０１〜４０５，４１８は、図１０におけるステップＳ２０１〜２０５，２１３と同じ処理である。また、ステップＳ４１２〜４１４は、ステップＳ２０８〜２１０と同じ処理である。従って、ステップＳ４０６〜４１１，４１５〜４１７が異なっているので、これらの処理について説明する。
【０１８９】
これら異なる処理は、両面設定時の挿入紙設定プレビュー表示で章紙の表面、裏面、及び両面に印刷する場合の挿入操作が行われたかを検出する処理である。
【０１９０】
図１７において、操作制御部２０５は、表面を印刷する章紙の挿入が検出されたか否か判別する（ステップＳ４０６）。ステップＳ４０６の判別の結果、表面を印刷する章紙の挿入が検出されなかったときは（ステップＳ４０６でＮＯ）、ステップＳ４０８に進む。
【０１９１】
一方、ステップＳ４０６の判別の結果、表面を印刷する章紙の挿入が検出された場合（ステップＳ４０６でＹＥＳ）、操作制御部２０５は、タッチスクリーンディスプレイ２００の表示を図１４（Ｂ）のような章紙挿入後のプレビュー画像へと更新する。さらに、操作制御部２０５は、表面印刷の章紙の挿入位置情報を操作端末１００のメモリ２０７に記憶することで章紙の挿入位置設定を行い（ステップＳ４０７）、ステップＳ４１２に進む。
【０１９２】
ステップＳ４０８に戻り、操作制御部２０５は、裏面を印刷する章紙の挿入が検出されたか否か判別する（ステップＳ４０８）。ステップＳ４０８の判別の結果、裏面を印刷する章紙の挿入が検出されなかったときは（ステップＳ４０８でＮＯ）、ステップＳ４１０に進む。
【０１９３】
一方、ステップＳ４０８の判別の結果、裏面を印刷する章紙の挿入が検出された場合、（ステップＳ４０８でＹＥＳ）、操作制御部２０５は、タッチスクリーンディスプレイ２００の表示を図１４（Ｄ）のような章紙挿入後のプレビュー画像へと更新する。さらに、操作制御部２０５は、裏面印刷の章紙の挿入位置情報を操作端末１００のメモリ２０７に記憶することで章紙の挿入位置設定を行い（ステップＳ４０９）、ステップＳ４１２に進む。
【０１９４】
ステップＳ４１０に戻り、操作制御部２０５は、両面を印刷する章紙の挿入が検出されたか否か判別する（ステップＳ４１０）。ステップＳ４１０の判別の結果、両面を印刷する章紙の挿入が検出されなかったときは（ステップＳ４１０でＮＯ）、ステップＳ４１５に進む。
【０１９５】
一方、ステップＳ４１０の判別の結果、両面を印刷する章紙の挿入が検出された場合（ステップＳ４１０でＹＥＳ）、操作制御部２０５は、タッチスクリーンディスプレイ２００の表示を図１５（Ｂ）のような章紙挿入後のプレビュー画像へと更新する。さらに、操作制御部２０５は、両面印刷の章紙の挿入位置情報を操作端末１００のメモリ２０７に記憶することで章紙の挿入位置設定を行い（ステップＳ４１１）、ステップＳ４１２に進む。
【０１９６】
ステップＳ４１５に戻り、ステップＳ４１５の判別の結果、挿入紙の解除を検出した場合（ステップＳ４１５でＹＥＳ）、操作制御部２０５は、タッチスクリーンディスプレイ２００の表示を挿入紙設定解除後のプレビュー表示へと更新する。そして、操作制御部２０５は、設定を解除した挿入紙の挿入紙設定情報を操作端末１００のメモリ２０７から消去することで、挿入紙設定を解除して（ステップＳ４１７）、ステップＳ４１８に進む。
【０１９７】
以上説明した処理によれば、両面印刷設定時にも直感的な挿入紙設定操作が可能となる。
【０１９８】
［第３の実施の形態］
第１、第２の実施の形態では、挿入紙プレビュー画像の原稿ページに対する挿入先により、挿入紙が合紙か章紙のいずれかであるかを判別していた。第３の実施の形態では、第１の実施の形態の図１〜３で説明したものと同様の構成で、予め挿入紙の種類を設定する場合の挿入紙設定方法について説明する。
【０１９９】
図１８（Ａ）〜（Ｃ）は、挿入紙の用紙選択画面を示す図である。
【０２００】
図１８において、まず、挿入紙の用紙種類を設定するために、図１８（ａ）のように、用紙設定の案内５０１と画像形成装置９０の本体画像５０２が表示される。この表示に対し、ユーザは本体画像５０２の用紙カセット部１０２〜１０４、手差しトレイ部１０５及びインサーター１０６のいずれかをタッチすることで、挿入紙の給紙箇所を選択する。
【０２０１】
図１８（Ｂ）は、用紙カセット部１０２を選択した例を示している。その際、選択された用紙カセット部１０２の用紙登録情報５０８が表示される。
【０２０２】
次に、図１８（Ｃ）のように、挿入紙の種類選択の案内５０９と章紙のプレビュー画像５１０、合紙のプレビュー画像５１１が表示される。この表示に対し、図１８（Ｃ）のようにユーザは章紙のプレビュー画像５１０、合紙のプレビュー画像５１１のいずれかをタッチすることで、挿入紙の種類を選択する。
【０２０３】
図１８（Ｃ）は、合紙を選択した例を示している。その際、用紙設定情報５１２が表示され、操作端末１００内のメモリ２０７に挿入紙の用紙設定情報が記憶される。このように、本実施の形態では、挿入紙画像が表示される前に、画像形成装置９０が備える複数の給紙手段の各々を示す給紙画像を表示部に表示させ、挿入紙を給紙する給紙手段を表示部に表示させた給紙画像の中からユーザに選択させる。
【０２０４】
図１９（Ａ）〜（Ｄ）は、本体画像５１３の用紙カセット部から挿入紙を設定する方法を説明するための図である。
【０２０５】
図１９（Ａ）は、タッチスクリーンディスプレイ２００に表示した挿入紙設定用のプレビュー表示である。ここでの挿入紙設定用プレビュー表示には、予め設定された挿入紙の用紙設定情報５１２と本体画像５１３が表示される。
【０２０６】
本体画像５１３では、用紙設定情報５１２に記載される用紙カセット情報（合紙は用紙カセット１、章紙は手差しトレイ）に合わせて、用紙カセット部１０２と手差しトレイ部１０５が色つきで表示される。ここで表示される挿入紙プレビュー画像は、画像形成装置９０が備える複数の給紙手段の各々を示す上述した給紙画像となっている。
【０２０７】
また、図１９（Ｂ）のように、スクロール操作によるプレビュー表示の移動が可能である。
【０２０８】
ここで合紙を挿入する場合、図１９（Ｃ）のように合紙の用紙カセットに登録済の本体画像５１３の用紙カセット部１０２の位置からオブジェクト表示領域３０３の表ページでのプレビュー画像４０２Ｄと４０２Ｅの間へドラッグ操作し、その位置で指を離す。
【０２０９】
このようにすることで、図１９（Ｄ）のように、プレビュー画像４０２Ｄと４０２Ｅの間に合紙のプレビュー画像５１６が表示される。
【０２１０】
図２０は、図２における操作制御部２０５により実行される挿入紙設定処理の手順を示すフローチャートである。図２０のフローチャートに示す処理は、操作制御部２０５が有するＣＰＵが、メモリ２０７に記憶されたプログラムを読み出して実行することによって行われる。
【０２１１】
図２０において、図１８に示す画面表示に従い、挿入紙の用紙カセット設定を行う（ステップＳ５０１）。この挿入紙の用紙設定を先に行う点が、第１、２の実施の形態と異なる。
【０２１２】
次いで、挿入紙設定用のプレビュー表示において、操作制御部２０５は、図１９（Ａ）〜（Ｄ）で説明した合紙の挿入を検出したか否か判別する（ステップＳ５０２）。
【０２１３】
これまでの実施の形態では、挿入紙の種類を複数ページのプレビュー画像への挿入先の位置で検出していた。それに対し、本実施の形態では、図１９（Ｃ）のように合紙が登録された用紙カセット部１０２の位置から挿入操作を開始する。すなわち挿入紙の挿入元の位置で挿入紙の種類の検出を行う。
【０２１４】
ステップＳ５０２の判別の結果、合紙の挿入を検出した場合（ステップＳ５０２でＹＥＳ）、操作制御部２０５は、タッチスクリーンディスプレイ２００の表示を図１９（Ｄ）のような合紙挿入後のプレビュー画像へと更新する。そして、操作制御部２０５は、合紙の挿入位置情報を操作端末１００のメモリ２０７に記憶することで合紙の挿入位置設定を行う（ステップＳ５０３）。
【０２１５】
後のステップＳ５０４，５０５は図１０のステップＳ２０６〜ステップＳ２１０に対応し、ステップＳ５０６，５０７は、ステップＳ２１１，２１２に対応する。また、ステップＳ５０８はステップＳ２１３に対応する。
【０２１６】
以上説明したように、予め用紙情報を設定した挿入紙プレビュー画像を挿入する方法による直感的な挿入操作も実現可能である。
【０２１７】
［第４の実施の形態］
第１〜３の実施の形態では、操作端末１００の画面表示に従ってユーザが挿入紙の用紙設定を行っていた。
【０２１８】
第４の実施の形態では、第１の実施例の図１〜３で説明したものと同様の構成で、ユーザの挿入紙の用紙設定を簡略化し、より直感的に挿入紙の用紙種類を決定する方法について説明する。
【０２１９】
図２１（Ａ）〜（Ｄ）は、本体画像５１３の用紙カセット部にセットされた用紙から挿入紙を設定する方法を説明するための図である。
【０２２０】
図２１（Ａ）は、本実施の形態での挿入紙設定のプレビュー表示である。第１〜３の実施の形態と異なり、本実施の形態では、図１１で説明した用紙登録情報６０２を参照し、オブジェクト表示領域３０３の上部に、挿入紙プレビュー画像６０１Ａ〜６０１Ｄを表示する。ここで表示される挿入紙プレビュー画像は、画像形成装置９０から取得した前記給紙手段にセットされている記録紙の情報に基づく画像（挿入紙プレビュー画像６０１Ａ〜６０１Ｄ）となっている。
【０２２１】
また、図２１（Ｂ）のように、これまでの実施の形態と同様、スクロール操作によるプレビュー表示の移動が可能である。
【０２２２】
ここで色紙Ｃを使った章紙を挿入する場合、図２１（Ｃ）のように色紙Ｃの挿入紙プレビュー画像６０１Ｃの位置からオブジェクト表示領域３０３のプレビュー画像４０２Ｅの上へページが重なるようにドラッグ操作し、その位置で指を離す。このようにすることで、章紙を挿入する位置を確定する。
【０２２３】
そして、図２１（Ｄ）のように、プレビュー画像４０２Ｅの位置に章紙のプレビュー画像６０３が表示され、章紙の挿入が完了する。合紙の場合も、上記の方法で挿入紙プレビュー画像を選択し、第１の実施の形態で説明した操作と同様の操作をすればよい。
【０２２４】
図２２は、図２における操作制御部２０５及びＣＰＵ２１２により実行される印刷処理の手順を示すフローチャートである。操作制御部２０５による処理は、操作制御部２０５が有するＣＰＵが、メモリ２０７に記憶されたプログラムを読み出して実行することによって行われる。また、ＭＦＰ部１０１のＣＰＵ２１２による処理は、ＣＰＵ２１２が、ＲＯＭ２１３に記憶されたプログラムをメモリ２１６に読み出して実行することによって行われる。
【０２２５】
図２２におけるステップＳ６０１〜６０５は、図９におけるステップＳ１０１〜１０５と同じ処理である。また、ステップＳ６１２〜６１８は、ステップＳ１０９〜１１５と同じ処理である。
【０２２６】
従って、ステップＳ６０６〜６１１が異なっているので、これらの処理について説明する。
【０２２７】
図２２において、これまでと同様に、操作制御部２０５は、タッチスクリーンディスプレイ２００で挿入紙設定の開始が指定されたか否か判別する（ステップＳ６０６）。ステップＳ６０６の判別の結果、挿入紙設定の開始が指定されていないときは（ステップＳ６０６でＮＯ）、ステップＳ６１２に進む。
【０２２８】
一方、ステップＳ６０６の判別の結果、挿入紙設定の開始が指定された場合（ステップＳ６０６でＹＥＳ）、ステップＳ６０７に進む。そして、操作制御部２０５は、ＭＦＰ部１０１に対し挿入紙の用紙候補となる用紙登録情報を要求する用紙登録情報要求を送信し（ステップＳ６０７）、操作端末１００は待ち状態となる。
【０２２９】
ステップＳ６０８では、ＣＰＵ２１２は、操作端末１００から無線通信回線２２１を介して用紙登録情報要求をＭＦＰ部１０１は受信する。そして、ＣＰＵ２１２によりメモリ２１６に記憶されている用紙登録情報６０２が無線通信回線２２１を介して、操作端末１００に送信する（ステップＳ６０８）。このステップＳ６０８は、操作端末１００から給紙手段にセットされている記録紙の情報を要求する用紙登録情報要求を受信する受信手段と、受信された用紙登録情報要求に応じて、給紙手段にセットされている記録紙の情報を送信する送信手段に対応する。
【０２３０】
操作端末１００の操作制御部２０５は、ＭＦＰ部１０１より送信された用紙登録情報６０２を取得し（ステップＳ６０９）、操作端末１００のメモリ２０７へ記憶する。
【０２３１】
次いで、操作制御部２０５は、タッチスクリーンディスプレイ２００に図２１（Ａ）のような登録済の用紙を用いた挿入紙プレビュー画像６０１を含めた挿入紙設定用プレビューを表示する（ステップＳ６１０）。
【０２３２】
そして、操作制御部２０５は、図２１に示す挿入紙設定用のプレビュー画像に対する操作をもとに挿入紙設定を行う挿入紙設定処理を実行する（ステップＳ６１１）。この挿入紙指定処理については後述する。
【０２３３】
図２３は、図２２の印刷処理におけるステップＳ６１１の挿入紙設定処理の手順を示すフローチャートである。図２３のフローチャートに示す処理は、操作端末１００における処理であり、操作制御部２０５が有するＣＰＵが、メモリ２０７に記憶されたプログラムを読み出して実行することによって行われる。
【０２３４】
挿入紙設定用のプレビュー表示において、操作制御部２０５は、図２１（Ａ）〜（Ｄ）で説明した合紙の挿入が検出されたか否か判別する（ステップＳ７０１）。
【０２３５】
これまでの実施の形態では、この処理において挿入紙の種類と挿入位置を検出していた。それに対し、本実施の形態では、図２１（Ｄ）のように挿入紙プレビュー画像の挿入元から挿入紙の用紙種類を検出し、原稿のプレビュー画像に対する挿入先から挿入紙の種類を検出することを、ユーザのドラック操作のみで実現している。
【０２３６】
ステップＳ７０１の判別の結果、合紙の挿入が検出されないときは（ステップＳ７０１でＮＯ）、ステップＳ７０３に進む。
【０２３７】
一方、ステップＳ７０１の判別の結果、合紙の挿入が検出されたときは（ステップＳ７０１でＹＥＳ）、操作制御部２０５は、タッチスクリーンディスプレイ２００の表示を図２１（Ｄ）のような合紙挿入後のプレビュー画像へと更新する。そして、合紙の挿入位置情報及び挿入紙の用紙種類を操作端末１００のメモリ２０７記憶することで合紙の挿入位置設定を行い（ステップＳ７０２）、ステップＳ７０７に進む。
【０２３８】
後のステップＳ７０３，７０４は図１０のステップＳ２０６〜ステップＳ２１０に対応し、ステップＳ７０５，７０６は、ステップＳ２１１，２１２に対応する。また、ステップＳ７０７はステップＳ２１３に対応する。
【０２３９】
以上説明したように、本実施の形態ではプレビュー表示上で、ユーザは挿入紙の用紙種類の候補を選択し、選択した挿入紙を原稿ページのプレビューへと挿入する操作をすることで、挿入紙の用紙種類と挿入位置の決定をより直感的に実行できる。
【０２４０】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０２４１】
９０  画像形成装置
１００  操作端末
２００  タッチスクリーンディスプレイ
２０１  タッチスクリーン
２０２  液晶ディスプレイ
２０５  操作制御部
２０７，２１６  メモリ
２１２  ＣＰＵ
２１３  ＲＯＭ
２１５  プレビュー画像生成部
２１７  プリンタ部
２１８  スキャナ部
【図１】
2019071069.tif 000003
【図２】
2019071069.tif 000004
【図３】
2019071069.tif 000005
【図４】
2019071069.tif 000006
【図５】
2019071069.tif 000007
【図６】
2019071069.tif 000008
【図７】
2019071069.tif 000009
【図８】
2019071069.tif 000010
【図９】
2019071069.tif 000011
【図１０】
2019071069.tif 000012
【図１１】
2019071069.tif 000013
【図１２】
2019071069.tif 000014
【図１３】
2019071069.tif 000015
【図１４】
2019071069.tif 000016
【図１５】
2019071069.tif 000017
【図１６】
2019071069.tif 000018
【図１７】
2019071069.tif 000019
【図１８】
2019071069.tif 000020
【図１９】
2019071069.tif 000021
【図２０】
2019071069.tif 000022
【図２１】
2019071069.tif 000023
【図２２】
2019071069.tif 000024
【図２３】
2019071069.tif 000025
【手続補正書】
【提出日】平成31年3月11日(2019.3.11)
【手続補正２】
【補正対象書類名】明細書
【補正対象項目名】０００１
【補正方法】変更
【補正の内容】
【０００１】
本発明は、印刷設定装置及びその制御方法、並びにプログラムに関する。
【手続補正３】
【補正対象書類名】明細書
【補正対象項目名】００１３
【補正方法】変更
【補正の内容】
【００１３】
上記目的を達成するために、本願発明の印刷設定装置は、第１の印刷用紙を示す第１のオブジェクトと、第２の印刷用紙を示す第２のオブジェクトとを表示させる表示制御手段と、前記第１のオブジェクトと前記第２のオブジェクトとが表示された操作画面に対するユーザによるタッチ操作であって、挿入紙の挿入位置を指定するタッチ操作に基づき、前記第１の印刷用紙及び前記第２の印刷用紙と、挿入紙との位置関係が指定された位置関係となるように前記挿入紙を挿入する指示を受け付ける受付手段とを有し、前記表示制御手段は、前記指示を受け付けた場合に、該挿入紙のための印刷用紙に関する設定を行うための設定画面を表示させる制御を行うことを特徴とする。
【手続補正４】
【補正対象書類名】特許請求の範囲
【補正対象項目名】全文
【補正方法】変更
【補正の内容】
【特許請求の範囲】
【請求項１】
第１の印刷用紙を示す第１のオブジェクトと、第２の印刷用紙を示す第２のオブジェクトとを表示させる表示制御手段と、
前記第１のオブジェクトと前記第２のオブジェクトとが表示された操作画面に対するユーザによるタッチ操作であって、挿入紙の挿入位置を指定するタッチ操作に基づき、前記第１の印刷用紙及び前記第２の印刷用紙と、挿入紙との位置関係が指定された位置関係となるように前記挿入紙を挿入する指示を受け付ける受付手段とを有し、
前記表示制御手段は、前記指示を受け付けた場合に、該挿入紙のための印刷用紙に関する設定を行うための設定画面を表示させる制御を行うことを特徴とする印刷設定装置。
【請求項２】
第１の印刷用紙を示す第１のオブジェクトと、第２の印刷用紙を示す第２のオブジェクトとを表示させる表示制御工程と、
前記第１のオブジェクトと前記第２のオブジェクトとが表示された操作画面に対するユーザによるタッチ操作であって、挿入紙の挿入位置を指定するタッチ操作に基づき、前記第１の印刷用紙及び前記第２の印刷用紙と、挿入紙との位置関係が指定された位置関係となるように前記挿入紙を挿入する指示を受け付ける受付工程とを有し、
前記表示制御工程において、前記指示を受け付けた場合に、該挿入紙のための印刷用紙に関する設定を行うための設定画面を表示させる制御を行うことを特徴とする印刷設定装置の制御方法。
【請求項３】
請求項２に記載の印刷設定装置の制御方法をコンピュータに実行させるためのプログラム。